(57)【要約】【課題】精神的な緊張状態を効率よく解消し、入眠を促す電子音発生装置を提供する。【解決手段】波形データを記録した波形データテーブル５１と、乱数データを複数格納したランダムパターンテーブル２と、を備える。音程データ発生部５は、波形データテーブル５１に記録された音の波形データを、第１の読出し部３が読み出した乱数データに基づいた周波数で音信号に変換してアンプ／スピーカ６からひとまとまりの音として出力する。また、第２の読出し部４がランダムパターンテーブル２から読み出した別の乱数データに基づいてタイマー７がデューティコントロールカウンタ５２を発停させ、音の出力間隔をランダムなものにする。【選択図】図１
2013235225.tif 000002
【特許請求の範囲】
【請求項１】
音の波形データを記録した波形データテーブルと、
任意の乱数データを複数格納したランダムパターンテーブルと、
前記ランダムパターンテーブルに格納された複数の乱数データの中から１つの乱数データを読み出す第１の読出し部と、
前記第１の読出し部により読み出した乱数データに基づいた周波数で前記波形データテーブルに記録された音の波形データを音信号に変換して生成する音信号生成部と、
前記ランダムパターンテーブルに格納された複数の乱数データの中から１つの乱数データを読み出す第２の読出し部と、
前記第２の読出し部により読み出した乱数データに基づいた時間間隔で前記音信号生成部により生成された音信号の出力間隔を制御する間隔制御部と、を備えることを特徴とする電子音発生装置。
【請求項２】
前記第１の読出し部及び第２の読出し部は、前記ランダムパターンテーブル内に格納された複数の乱数データを周回して読み出すことを特徴とする請求項１に記載の電子音発生装置。
【請求項３】
前記第１の読出し部の読み出し位置、及び第２の読出し部の読み出し位置を、本電子音発生装置の動作停止時に記憶する記憶部を備え、
前記第１の読出し部及び第２の読出し部は、動作再開時に前記記憶部に記憶された読み出し位置とは異なる位置から読み出しを開始することを特徴とする請求項２に記載の電子音発生装置
【発明の詳細な説明】
【技術分野】
【０００１】  本発明は、使用者に入眠を促す電子音発生装置に関する。
【背景技術】
【０００２】  円滑な入眠が難しい人や不眠症患者にｆ分の１特性などの音刺激を聴かせることにより症状の改善を図るようになった入眠装置が知られている（例えば、特許文献１及び特許文献２参照）。特許文献１に記載の入眠装置は、ピンクノイズによりスピーカを駆動するものである。特許文献２に記載の入眠装置は、発光ダイオードから光刺激を出力すると共にスピーカから環境協和音を出力するものである。
【先行技術文献】
【特許文献】
【０００３】
【特許文献１】特開昭６２−２６６０７６号公報
【特許文献２】特開平１０−１１３３９３号公報
【発明の概要】
【発明が解決しようとする課題】
【０００４】  ところで、入眠が難しい人の症状について研究してみると、精神的な緊張が持続することが不眠の主な原因になっている人に対しては、ｆ分の１特性などの自然に近い音ではあっても、単に繰り返して聴かせただけでは、緊張を解くことが難しいことがわかった。【０００５】  その理由としては、例えば、ある一定長さの音刺激を一定の間隔で繰り返し発生させる場合、使用者は、その音刺激や間隔などを体感的に覚えてしまい、それらの音から受ける刺激（インパクト）の大きさが短時間のうちに低下することが考えられる。換言すると、使用者は、音刺激が聴こえていること自体に慣れてしまい、音刺激が刺激ではなくなると考えられる。【０００６】  そこで、本発明は、上記課題を解決するものであり、周波数などの音特性がランダムに変化し、かつ発生間隔もランダムに変化することにより、使用者の緊張が効率よく解消して円滑な入眠を促すことができる電子音発生装置を提供することを目的とする。
【課題を解決するための手段】
【０００７】  上記目的を達成するために、請求項１の発明は、音の波形データを記録した波形データテーブルと、任意の乱数データを複数格納したランダムパターンテーブルと、前記ランダムパターンテーブルに格納された複数の乱数データの中から１つの乱数データを読み出す第１の読出し部と、前記第１の読出し部により読み出した乱数データに基づいた周波数で前記波形データテーブルに記録された音の波形データを音信号に変換して生成する音信号生成部と、前記ランダムパターンテーブルに格納された複数の乱数データの中から１つの乱数データを読み出す第２の読出し部と、前記第２の読出し部により読み出した乱数データに基づいた時間間隔で前記音信号生成部により生成された音信号の出力間隔を制御する間隔制御部と、を備えることを特徴とする電子音発生装置である。【０００８】  請求項２の発明は、請求項１に記載の電子音発生装置において、前記第１の読出し部及び第２の読出し部は、前記ランダムパターンテーブル内に格納された複数の乱数データを周回して読み出すことを特徴とする。【０００９】  請求項３の発明は、請求項２に記載の電子音発生装置において、前記第１の読出し部の読み出し位置、及び第２の読出し部の読み出し位置を、本電子音発生装置の動作停止時に記憶する記憶部を備え、前記第１の読出し部及び第２の読出し部は、動作再開時に前記記憶部に記憶された読み出し位置とは異なる位置から読み出しを開始することを特徴とする。
【発明の効果】
【００１０】  本発明によれば、スピーカから発せられるｆ分の１特性などの自然音に近い音の特性がランダムに変化し、かつ発生間隔もランダムに変化するので、使用者の緊張状態が解消され、効率よく入眠を促すことができる。
【図面の簡単な説明】
【００１１】
【図１】本発明の実施形態に係る電子音発生装置のブロック図。
【図２】同電子音発生装置の波形データテーブルに格納された波形を示す図。
【図３】同電子音発生装置のデータ変換部から出力されるＰＷＭ波形と、平滑化部で平滑化されて出力される波形を示す図。
【図４】同電子音発生装置のアンプ／スピーカから出力される音を示す図。
【発明を実施するための形態】
【００１２】  以下、本発明の実施形態に係る電子音発生装置について、図１乃至図４を参照して説明する。電子音発生装置１は、図１に示すように、乱数データを複数格納したランダムパターンテーブル２と、ランダムパターンテーブル２内の複数の乱数データから１つの乱数データを読み出してきて一時記憶する第１、第２の読出し部３、４と、発生すべき音のディジタルデータを予め格納してあり、第１の読出し部３に記憶した乱数データに基づいて音のディジタルデータを加工してアナログ出力する音程データ発生部５と、音程データ発生部５からのアナログ出力を実際に聞こえる音として出力するアンプ／スピーカ６と、第２の読出し部４に記憶した乱数データに基づいて音程データ発生部５の動作間隔を制御するタイマー７と、から構成される。
【００１３】  次に、各部の構成を説明する。ランダムパターンテーブル２には、複数の乱数データがアドレスを付与して格納してある。第１、第２の読出し部３、４は、それぞれランダムパターンテーブル２から読み出すべき乱数データのアドレスを変数として発生するポインタ３１、４１と、読み出した乱数データを一時記憶する読出しデータ記憶部３２、４２とを備える。ポインタ３１、４１は、操作部８からの制御信号によって変更されるとき以外は、発生するアドレスを順に１つずつ更新し（アドレス０→１→２・・）、最終のアドレスに到達した後、最初のアドレス（アドレス０）に周回して戻るようになっている。
【００１４】  音程データ発生部５は、発生すべき音のディジタルデータを位相順にアドレスを付して格納した波形データテーブル５１と、波形データテーブル５１から読み出したディジタルデータを、アンプ／スピーカ６へ入力するアナログ信号に変換するデューティコントロールカウンタ５２とを備える。波形データテーブル５１に格納されたディジタルデータが、例えば図２に示したように正弦波形の場合には、アドレス０に位相０の振幅データｄ０が格納され、アドレス１には位相が１だけ進んだときの振幅データｄ１が格納され、・・というように順に格納されている。
【００１５】  デューティコントロールカウンタ５２は、波形データテーブル５１から読み出す波形データのアドレスを変数として指定するポインタ５３と、ポインタ５３により指定されたアドレスの波形データを読み出して一時記憶する設定値読出し部５４と、ポインタ５３が次々に発生するアドレス（変数）の発生速度を変える可変クロック５５と、を備える。換言すると、ポインタ５３は、可変クロック５５により与えられる速度でもってアドレスを１つずつ更新して発生する。
【００１６】  可変クロック５５には、読出しデータ記憶部３２に記憶された乱数データが入力され、可変クロック５５は入力された乱数データに応じた分周比でクロック速度が変更され、変更されたクロックがポインタ５３に送信されることにより、ポインタ５３のアドレス発生速度が変更される。ポインタ５３のアドレス発生速度が変更されることによって、波形データテーブル５１からのデータ読み出し速度が変更されるので、読み出す音波形の周波数が変更される。
【００１７】  デューティコントロールカウンタ５２には、さらに、設定値読出し部５４に記憶され、次々に更新される波形データ（ディジタル量）を、クロック５６が発生するクロック信号に基づいてパルス幅に変換し、ＰＷＭ波形（図３参照）とするデータ変換部５７と、変換されたＰＷＭ波形を平滑化してアナログの音波形（図３参照）に変換する平滑化部５８と、を備える。
【００１８】  デューティコントロールカウンタ５２は、ポインタ５３が、可変クロック５５により与えられた速度で読み出しアドレスを順に更新して発生し、読み出したデータを、データ変換部５７及び平滑化部５８に送ることにより、波形データテーブル５１に格納された１まとまり（１周期）の音波形をアナログの音波形として出力する。
【００１９】  上記のようなデューティコントロールカウンタ５２の動作の開始・停止が、タイマー７からの信号７ａにより制御される。具体的には、タイマー７は、読出しデータ記憶部４２に記憶された乱数データに基づいてデューティコントロールカウンタ５２の動作間隔となる時間ｔ（図４参照）を生成し、生成した時間が経過したときにデューティコントロールカウンタ５２に動作開始信号を出力する。時間ｔは、読出しデータ記憶部４２内の乱数データに基づいて生成されるので、ランダムな値になる。
【００２０】  また、ポインタ３１、４１が発生するアドレス情報は、操作部８内に備えられた不揮発メモリ８１に記憶され、次のアドレス情報が発生されたときに、上書きされる。操作部８は、本電子音発生装置１の動作の開始・停止を操作することができるスイッチ部８２を備え、使用者がスイッチ部８２を操作して動作停止の状態から動作を再開したときには、ポインタ３１、４１へ、不揮発メモリ８１に記憶されたアドレス情報とは異なるアドレス情報を送信する。
【００２１】  具体的には、例えば、ポインタ３１がアドレス０を発生し、ポインタ４１がアドレス１を発生したときに本電子音発生装置１の動作が停止された場合、不揮発メモリ８１には、それぞれ「アドレス０」「アドレス１」が情報として記憶される。その後、使用者が操作部８を操作して、動作を再開したときには、その「アドレス０」「アドレス１」ではなく、１つ更新した「アドレス１」「アドレス２」や２つ更新した「アドレス２」「アドレス３」などのアドレスをポインタ３１、４１が発生するようになっている。
【００２２】  これにより、使用者が電子音発生装置１の使用を開始したときの音が、動作停止時の音と同じ特性で、同じ間隔になることが避けられ、使用者の受ける刺激が低下することを防止できる。
【００２３】  本発明の電子音発生装置１は、上記の通りの構成であって、使用者が操作部８を操作して動作を開始すると、波形データテーブル５１に予め格納された音データに基づきデューティコントロールカウンタ５２によって周波数などの音特性がランダムに変化された音がアンプ／スピーカ６からひとまとまりの音として出力される。また、音の発生間隔が、タイマー７によりランダムに変化される。このことから、使用者の緊張が効率よく解消して入眠が円滑に促される。
【符号の説明】
【００２４】１  電子音発生装置
２  ランダムパターンテーブル
３  第１の読出し部
４  第２の読出し部
５  音程データ発生部（音信号生成部）
７  タイマー（間隔制御部）
８１  不揮発メモリ（記憶部）
【図１】
2013235225.tif 000003
【図２】
2013235225.tif 000004
【図３】
2013235225.tif 000005
【図４】
2013235225.tif 000006